(57)【要約】【課題】簡単な構成で盗難防止可能な車載機器を提供すること。【解決手段】車載機器１は、筐体２０に取り付けられた進退移動装置によって操作表示パネル３０を筐体２０に出し入れ可能とし、操作表示パネル３０に第一操作部３７を備え、第一操作部３７は、未使用時は筐体２０に収納され、使用時は筐体２０から予め設定された距離だけ進出する。【選択図】図１
2008230353.tif 000002
【特許請求の範囲】
【請求項１】
車両内の取り付け面より内方に収納可能に取り付けられる筐体と、
前記筐体に進出又は引き込み動作可能に取り付けられた支持部材と、
前記支持部材の進出方向前端部に回動可能に軸着され、進出時に起立し、引き込み時に折りたたまれる操作表示パネルと、
前記操作表示パネルの軸着部に設けられた第一操作部と、
前記支持部材を進出又は引き込み動作させる駆動手段と、
前記操作部の未使用時に前記操作表示パネルの軸着部を前記車両内の取り付け面より内方に位置させ、使用時に予め設定された距離だけ前記操作表示パネルの軸着部を前記車両内の取り付け面より進出させるよう前記駆動手段を制御する制御手段と
を備えた車載機器。
【請求項２】
前記筐体に前記支持部材の進出方向前端面に設けられた第二操作部と、
前記操作表示パネルの回動運動に連動し、前記操作表示パネルが折りたたまれたとき前記第二操作部の露出面を覆う覆い部材と、
を備えた請求項１に記載の車載機器。
【請求項３】
前記第二操作部はディスク挿入口を備え、
前記覆い部材には、当該覆い部材によって前記第二操作部が覆われたとき前記ディスク挿入口に対応する位置にディスク挿入用の開口部が設けられている請求項２に記載の車載機器。
【請求項４】
前記第二操作部には発光型表示部が設けられ、
前記覆い部材は、当該覆い部材に前記第二操作部が覆われたとき前記発光型表示部側から発光された光のみを透過するハーフミラー材料からなる請求項２又は請求項３に記載の車載機器。
【発明の詳細な説明】
【技術分野】
【０００１】
本発明は、車載機器に関する。
【背景技術】
【０００２】
近年、車両内のダッシュボードにカーナビゲーション装置やステレオ装置などの車載機器を備える車両の普及とともに、その車載機器の盗難が増加している。そのため、車載機器に備える操作用の操作パネルを取り外して車外へ持ち出して携帯することで、車載機器を操作不能な不完全な状態にし、盗難抑止効果を狙ったものが知られている。
例えば、特許文献１には、操作パネルの取り付け及び取り外しの操作が容易となる車載用電子機器が提案されている。
【特許文献１】特開２００４−１２２８０８号公報
【発明の開示】
【発明が解決しようとする課題】
【０００３】
しかしながら、上述の車載機器は、操作パネルを取り外して車両から離れる際に、操作パネルを携帯しなければならず、車載機器の所有者にとって不便である。また、操作パネルが取り外された車載機器は、コネクタ部分やディスク挿入口部分が露出し、外観が目立つため、他者に車両内の車載機器の存在を知られることとなり、盗難抑止を期することは難しい。更に、取り付けの際も、使用開始までに手間が生じ、誤った取り付けをすれば車載機器は動作しないという不便さもある。加えて、操作パネルを頻繁に脱着し、携帯することは、操作パネルの破損の原因ともなる。
本発明の課題は、簡単な構成で盗難防止可能な車載機器を提供することである。
【課題を解決するための手段】
【０００４】
上記課題を解決するため、請求項１に記載の発明は、車載機器において、
車両内の取り付け面より内方に収納可能に取り付けられる筐体と、
前記筐体に進出又は引き込み動作可能に取り付けられた支持部材と、
前記支持部材の進出方向前端部に回動可能に軸着され、進出時に起立し、引き込み時に折りたたまれる操作表示パネルと、
前記操作表示パネルの軸着部に設けられた第一操作部と、
前記支持部材を進出又は引き込み動作させる駆動手段と、
前記操作部の未使用時に前記操作表示パネルの軸着部を前記車両内の取り付け面より内方に位置させ、使用時に予め設定された距離だけ前記操作表示パネルの軸着部を前記車両内の取り付け面より進出させるよう前記駆動手段を制御する制御手段と
を備えたことを特徴とする。
【０００５】
請求項２に記載の発明は、請求項１に記載の車載機器において、
前記筐体に前記支持部材の進出方向前端面に設けられた第二操作部と、
前記操作表示パネルの回動運動に連動し、前記操作表示パネルが折りたたまれたとき前記第二操作部の露出面を覆う覆い部材と、
を備えたことを特徴とする。
【０００６】
請求項３に記載の発明は、請求項２に記載の車載機器において、
前記第二操作部はディスク挿入口を備え、
前記覆い部材には、当該覆い部材によって前記第二操作部が覆われたとき前記ディスク挿入口に対応する位置にディスク挿入用の開口部が設けられていること
を特徴とする。
【０００７】
請求項４に記載の発明は、請求項２又は請求項３に記載の車載機器において、
前記第二操作部には発光型表示部が設けられ、
前記覆い部材は、当該覆い部材に前記第二操作部が覆われたとき前記発光型表示部側から発光された光のみを透過するハーフミラー材料からなること
を特徴とする。
【発明の効果】
【０００８】
本発明によれば、簡単な構成で盗難防止可能な車載機器を提供することができる。
【発明を実施するための最良の形態】
【０００９】
以下、図面を参照して、本発明の好適な一実施形態を説明する。ただし、発明の範囲は本実施の形態に限定されない。
【００１０】
まず、図１から図９を参照して本発明に係る車載機器の機構を説明する。
図１から図９に示すように、車載機器１は、その外枠を構成する略直方体の筐体２０が備えられており、この筐体２０を車両内のダッシュボード２に埋設させることで、車載機器１は車両に取り付けられるようになっている。
【００１１】
筐体２０に収納された操作表示パネル３０のパネル装置支持部材２３側上端面には、オーディオ操作等のための第一操作部３７が取り付けられている。操作表示パネル３０が筐体２０に収納されているときは、第一操作部３７も筐体２０内に収納される。筐体２０がダッシュボードに埋設されているときに車室内に露出されている側の筐体２０の表面下部には、車載機器１に備えるカーナビゲーション機能等の操作のための各種スイッチ類３５ａ、表示部３５ｂ、ディスク挿入口３５ｃ等を備える第二操作部３５が取り付けられている。
【００１２】
筐体２０の内部は、上下に区分されており、この上段側の左右両側壁の内面にはガイドレール２１が側壁に沿って配設されている。また、この上段側の下面にはラックギア２２がガイドレール２１に沿って設置されている。
【００１３】
ガイドレール２１には、筐体２０の内部から車室側、及び車室側から筐体２０の内部の前後に進退移動可能なパネル装置支持部材２３がレール取付部材２４を介して取り付けられている。この各パネル装置支持部材２３の後端部にはガイドレール２１に直交する進退シャフト２５が回動自在に支持されている。
【００１４】
この進退シャフト２５には進退シャフト２５と一体的に固定されたピニオンギア２６が取り付けられており、ピニオンギア２６と上述のラックギア２２とは噛合されるようになっている。また、各パネル装置支持部材２３の間にはピニオンギア２６を回動駆動させる進退ギア２７及び双方向に回転可能な進退用モータ２８が設置されている。
【００１５】
これらガイドレール２１、ラックギア２２、レール取付部材２４、進退シャフト２５、ピニオンギア２６、進退ギア２７及び進退用モータ２８により進退移動装置が構成されている。
【００１６】
一方、各パネル装置支持部材２３の先端部にはガイドレール２１に直交する回動シャフト２９が回動自在に支持されている。この回動シャフト２９には画像情報を表示する操作表示パネル３０の一端部が一体的に固定されており、回動シャフト２９の回動動作により、操作表示パネル３０は各パネル装置支持部材２３に対して回動するようになっている。
【００１７】
この操作表示パネル３０は、走行中の自車の現在位置、進行方向などのナビゲーション情報及びテレビ番組などの画像情報を表示し、それらカーナビゲーション及びテレビ又はステレオ等の車載機器の操作ができるようになっている。
【００１８】
さらに各パネル装置支持部材２３の間には回動シャフト２９に一体的に取り付けられた回動歯車３２と、この回動歯車３２と噛合して、回動シャフト２９を回動駆動させる回動ギア３３と、回動ギア３３を駆動させる双方向に回転可能な回動用モータ５３と、が設置されている。
【００１９】
これら回動シャフト５５、回動ギア３８、回動用モータ３４及び回動歯車３２より回動装置が構成される。
【００２０】
また、筐体２０に収納される際に露出される側の操作表示パネル３０の端部には、回動シャフト２９と平行する方向に沿って、板状の部材であるフラップ３１が操作表示パネル３０と略直交する方向に突設、すなわち、断面略Ｌ字状になるように設けられている。そのため、フラップ３１は回動シャフト２９の回動動作によって操作表示パネル３０と共に各パネル装置支持部材２３に対して回動し、前述の進退移動装置によって操作表示パネル３０と共に進退移動するようになっている。フラップ３１には、操作表示パネル３０が筐体２０に収納されているときの露出面にＣＤ（Compact Disk）等のディスクを挿入可能な形状である略長方形の開口部３１ａが設けられている。開口部３１aは、操作表示パネル３０が筐体２０に収納されているときに開口部３１aからディスク挿入口３５ｃへディスク挿入が可能な位置に設けられている。
【００２１】
また、車載機器１は、操作表示パネル３０が筐体２０に収納されているとき、すなわち、図２の状態からＡの方向にフラップ３１が押されるとそれを検知するマイクロスイッチ３６を備える。マイクロスイッチ３６は、パネル装置支持部材２３が引き込み動作する方向のパネル装置支持部材２３の前端面に取り付けられている。Ａの方向にフラップが押されるとパネル装置支持部材２３が筐体２０の内壁面に接近する方向に移動し、筐体２０の内壁面と接触することによってマイクロスイッチ３６が押される。
【００２２】
図１０に本実施の形態における車載機器１の制御ブロック図を示す。図１０に示すように制御部４０は、ＣＰＵ（Central Processing Unit）４１、ＲＯＭ（Read Only Memory）４２、ＲＡＭ（Random Access Memory）４３、及び記憶部４４からなる。そして、ＣＰＵ４１は、ＲＯＭ４２又は記憶部４４に記録された処理プログラムをＲＡＭ４３に展開してこの処理プログラムを実行する。
【００２３】
制御部４０には、Ｉ／Ｆ５１を介して駆動回路５２が接続されている。駆動回路５２には進退用モータ２８が接続されている。制御部４０から電気信号が出力され、進退用モータ２８の駆動及び停止が制御される。
【００２４】
また、制御部４０には、Ｉ／Ｆ５３を介して駆動回路５４が接続されている。駆動回路５４には回動用モータ３４が接続されている。制御部４０から電気信号が出力され、回動用モータ３４の駆動及び停止が制御される。
【００２５】
また、制御部４０には、Ｉ／Ｆ５８を介してマイクロスイッチ３６が接続されている。マイクロスイッチ３６が押されるとマイクロスイッチ３６から電気信号が出力され、制御部４０によって進退用モータ２８の駆動及び停止が制御される。マイクロスイッチ３６から電気信号が出力された際に進退用モータ２８の駆動量及び停止タイミングに関する情報、すなわち、フラップ３１が押されたことをマイクロスイッチが検知した際にパネル操作支持部材２３が動作する距離に関する情報は、記憶部４４に記憶されている。
【００２６】
このように構成されているため、操作表示パネル３０が筐体２０内に略水平状態で収納されている際には、フラップ３１は第二操作部３５を覆い隠して図２の状態になっている。図２におけるＡの方向から見た図が図３となる。この状態のときは、第二操作部３５及び第一操作部３７を操作することはできない。操作表示パネル３０が使用される際には、まず操作表示パネル３０は、フラップ３１と共に筐体２０の内部から外部方向に押し出され、図５の状態を経て、操作表示パネル３０が起立可能な図６の状態となる。次いで、操作表示パネル３０は筐体２０の外部において略水平状態から起立する方向にフラップ３１と共に回動し、図７の状態を経て、操作表示パネル３０は起立し、フラップ３１は水平位置に移動した図８の状態となる。次いで、操作表示パネル３０はダッシュボード２に接近する方向に略水平に引込まれ、フラップ３１は筐体２０の内部に収納され、図１及び図９の状態となる。
【００２７】
図１及び図９の状態から操作表示パネル３０が筐体２０に収納される際には、まず操作表示パネル３０は、フラップ３１と共にダッシュボード２から離間する方向に略水平に押し出され、操作表示パネル３０を略水平状態に折りたたみ可能な図８の状態となる。次いで、操作表示パネル３０はパネル装置支持部材２３に対して傾倒する方向に回動することで、図７の状態を経て、略水平に折りたたまれ、フラップ３１は収納された状態から押し出され、図６の状態となる。次いで、操作表示パネル３０は略水平状態で筐体２０の内部に引込まれることによって、図５の状態を経て、操作表示パネル３０は筐体２０内に収容され、フラップ３１は第二操作部３５を覆い隠し、図２及び図３の状態となる。
【００２８】
また、図２の状態からＡの方向にフラップ３１が押されるとマイクロスイッチ３６がそれを検知し、操作表示パネル３０は取り付け面２ａから離間する方向に略水平にδの距離だけ押し出され、図４の状態となる。距離δは、第一操作部３７が突出し操作可能な状態になるまでの操作表示パネル３０の移動距離であり、当該距離に関する情報は記憶部４４に予め記憶されている。当該情報に基づいて、制御部４１の制御により駆動回路５２及び進退用モータの駆動が制御される。図４の状態のとき、第一操作部３７に備えるボタン等をＢの方向から操作することができる。
【００２９】
以上の実施形態において、フラップ３１の材質は特に限定せず、操作表示パネル３０が筐体２０内に収容されているときに第二操作部３５が視認できないように覆い隠されればよい。また、表示部３５ｂが発光によって表示内容が表示されるＬＣＤ（Liquid Crystal Display）等で構成されている場合に、表示部３５ｂが発行しているときはその表示内容を視認可能なように透過するハーフミラー材料等でフラップ３１を構成することとしてもよい。ハーフミラーとは、受けた光の一部を反射し一部を透過する性質を持ち、条件によって鏡のようになり、又はガラスのようになる材料である。
【００３０】
また、フラップ３１が押されるとマイクロスイッチ３６がそれを検知し、車載機器１は第一操作部３７を操作可能な図４の状態になることとしたが、この形式に限定されない。他の部分が押される等されることによって検知されることとしてもよく、また光学センサー等の他の検知装置によって検知することとしても良い。
【００３１】
また、フラップ３１は、操作表示パネル３０に固定されており、回動シャフト２９の回動動作により操作表示パネル３０と共に各パネル装置支持部材２３に対して回動することとしたが、この実施形態に限定されず、フラップ３１を独立して回動させるための機構を車載機器１に備えることとしても良い。
【００３２】
図１１にフラップ３１を独立して回動させるための制御機構を車載機器１が備えた場合の制御ブロック図を示す。図１１に示すように、図１０の構成に加えて、制御部４０には、Ｉ／Ｆ５５を介して駆動回路５６が接続されている。駆動回路５６にはフラップ収納用モータ５７が接続されている。制御部４０から電気信号が発信され、フラップ収納用モータ５７の駆動及び停止が制御される。
【００３３】
以上のように、図１から図１０に示す構成によれば、筐体２０に取り付けられた上述の進退移動装置によって操作表示パネル３０を筐体２０に出し入れ可能とし、操作表示パネル３０に第一操作部３７を備えた車載機器１において、第一操作部３７は、未使用時は筐体２０に収納され、使用時は筐体２０から使用可能な距離だけ進出する。そのため、第一操作部３７の未使用時は車載機器１が車両内に取り付けられていることが視認されにくくなり、盗難を抑止することができ。また、使用時は操作表示パネル３０の全体を筐体２０から取り出した状態にしなくとも第一操作部３７を使用することができるため、オーディオ操作などの操作表示パネル３０を必要としない操作をする際の車載機器１の操作上の利便性が向上する。
【００３４】
また、操作表示パネル３０にフラップ３１を取り付けることによって、操作表示パネル３０が筐体２０に収納されているときは、第二操作部３５はフラップ３１によって覆い隠されることで、車載機器１が車両内に取り付けられていることが視認されにくくなり、盗難を抑止する効果を奏する。
【００３５】
またその結果、車載機器の一部を取り外して携帯することで盗難を抑止する方法と比較して、車載機器の所有者は、車両から離れる際に部品を携帯しなければならないという手間がなくなり、また携帯することに起因して生じていた車載機器の破損がなくなり、製造業者にとってメンテナンスコストを削減することができるといった効果を奏する。
【００３６】
また、操作表示パネル３０が起立しているときは、フラップ３１は収納されるようにすることで、フラップ３１によって車載機器１の操作の際に邪魔にならず、また美的外観が損なわれないという効果を奏する。
【００３７】
また、フラップ３１の動作が操作表示パネル３０の動作と連動するようにフラップ３１を操作表示パネル３０に固定して取り付けることで、車載機器１はフラップ３１の動作のための機構を備える必要がなく、製造コストが安価となるという効果を奏する。
【００３８】
また、フラップ３１にＣＤ等のディスクを挿入可能な開口部３１ａが設けられていることによって、フラップ３１によって第二操作部３５を覆い隠しつつディスク挿入口３５ｃにディスクを挿入することが可能となる。
【００３９】
また、表示部３５ｂが発光によって表示内容が表示されるＬＣＤ等で構成されている場合に、表示部３５ｂが発行しているときはその表示内容を視認可能なように透過するハーフミラー材料等でフラップ３１を構成することによって、フラップ３１によって第二操作部３５を覆い隠しつつ表示部３５ｂの表示内容を視認することができる。
【００４０】
また、図１１に示す構成によれば、フラップ３１を独立して回動させるための機構を車載機器１に備えることで、操作表示パネル３０の使用時に、フラップ３１が筐体２０内に収納された状態で操作表示パネル３０の角度のみを使用しやすい位置に傾けることができるという効果を奏する。
【図面の簡単な説明】
【００４１】
【図１】本実施の形態における操作表示パネル使用時の車載機器の上面を示す概念図である。
【図２】本実施の形態における操作表示パネル収納時の車載機器の側面を示す概念図である。
【図３】本実施の形態における操作表示パネル収納時の車載機器の正面を示す概念図である。
【図４】本実施の形態におけるオーディオ操作部が使用可能な状態にあるときの車載機器の側面を示す概念図である。
【図５】本実施の形態における操作表示パネルが進退移動をしている際の側面を示す概念図である。
【図６】本実施の形態における操作表示パネルが折りたたみ状態にある時の車載機器の側面を示す概念図である。
【図７】本実施の形態における操作表示パネルが回動動作をしている際の側面を示す概念図である。
【図８】本実施の形態における操作表示パネルが起立状態にある時の車載機器の側面を示す概念図である。
【図９】本実施の形態における操作表示パネル使用時の車載機器の側面を示す概念図である。
【図１０】本実施の形態における車載機器の制御ブロック図である。
【図１１】他の実施の形態における車載機器の制御ブロック図である。
【符号の説明】
【００４２】
１  車載機器
２  ダッシュボード
２ａ  突出面
２０  筐体
２１  ガイドレール
２２  ラックギア
２３  パネル装置支持部材
２４  レール取付部材
２５  進退シャフト
２６  ピニオンギア
２７  進退ギア
２８  進退用モータ
２９  回動シャフト
３０  操作表示パネル
３１  フラップ
３１ａ  開口部
３２  回動歯車
３３  回動ギア
３４  回動用モータ
３５  第二操作部
３５ａ  各種スイッチ類
３５ｂ  表示部
３６ｃ  ディスク挿入口
３６  マイクロスイッチ
３７  第一操作部
４０  制御部
４１  ＣＰＵ
４２  ＲＯＭ
４３  ＲＡＭ
４４  記憶部
５１  Ｉ／Ｆ
５２  駆動回路
５３  Ｉ／Ｆ
５４  駆動回路
５５  Ｉ／Ｆ
５６  駆動回路
５７  フラップ収納用モータ
５８  Ｉ／Ｆ
【図１】
2008230353.tif 000003
【図２】
2008230353.tif 000004
【図３】
2008230353.tif 000005
【図４】
2008230353.tif 000006
【図５】
2008230353.tif 000007
【図６】
2008230353.tif 000008
【図７】
2008230353.tif 000009
【図８】
2008230353.tif 000010
【図９】
2008230353.tif 000011
【図１０】
2008230353.tif 000012
【図１１】
2008230353.tif 000013